(57)【特許請求の範囲】
【請求項１】
読み取り対象の原稿を載置する原稿トレイと、
前記原稿が排出される排紙スタッカーと、
前記排紙スタッカーより原稿搬送方向で上流側に、前記原稿の搬送経路の内部を露出させるための回動可能な開閉ユニットと、を有し、
前記開閉ユニットは、前記搬送経路の内部を露出させる開状態と、自動原稿読取装置本体に収納される閉状態とを取る自動原稿読取装置において、
前記開閉ユニットは、シート部材を備え、前記シート部材は前記閉状態の時に前記開閉ユニットと前記排紙スタッカーとの隙間を連結して塞ぎ、前記シート部材は前記開閉ユニットの回動動作に連動し、前記シート部材は当該開閉ユニットを回動させる回動手段に取り付けられている、
ことを特徴とする自動原稿読取装置。
【請求項２】
前記回動手段は、付勢されていることを特徴とする請求項１に記載の自動原稿読取装置。
【請求項３】
前記シート部材は、複数のスリットを備える、
ことを特徴とする請求項１または２に記載の自動原稿読取装置。
【請求項４】
前記開閉ユニットは、前記原稿を排出する排紙ローラに対向する従動コロを保持することを特徴とする請求項１乃至３のいずれか一項に記載の自動原稿読取装置。
【請求項５】
原稿台を開放する原稿カバーと、前記原稿カバーを開放可能にするヒンジ部とを備える、ことを特徴とする請求項１乃至４のいずれか一項に記載の自動原稿読取装置。
【請求項６】
請求項１乃至５のいずれか一項に記載の自動原稿読取装置を上方に搭載することを特徴とする画像を形成する画像形成装置。
【発明の詳細な説明】
【技術分野】
【０００１】
本発明は、自動原稿読取装置と、これを備えた画像形成装置に関する。
【背景技術】
【０００２】
一般的なＭＦＰ（マルチファンクションプリンタ）では、プリンタ本体上に画像読取装置（スキャナ）が設置され、さらにその上にＡＤＦ（自動原稿送り装置）が備え付けられている。
【０００３】
自動原稿送り装置（ＡＤＦ）は、機体の小型化のために、原稿をセットする原稿トレイと、原稿が排出される排紙トレイが上下に並んで配設され、設置スペースを少なくすることができる。しかしながら、排出トレイが下方に配置された場合、排紙部側の開放量、すなわち、排紙経路の外部露出量が少ないため、排紙部にジャムが発生した場合に、ジャム処理を容易に行なうことができず、また排紙部のメンテナンスを簡単に行うこともできないという問題があった。
【０００４】
そこで、排紙手段の排紙路でのジャム処理を容易に行なう目的で、フラットベット読取装置に載置された原稿を抑える抑え部材の一端部近傍に回動支点を備える開閉可能なガイド板を備えて排紙経路を露出するようにした構成が提案されている（例えば特許文献１参照）。
【発明の概要】
【発明が解決しようとする課題】
【０００５】
今までのＡＤＦは、排紙手段は駆動する排紙ローラに対向する排紙従動コロを押圧することで搬送された原稿を排出する構成を取られているが、特許文献１に記載されているＡＤＦのように、排紙ローラにかかる排紙従動コロの圧力を解除せずに、詰まってしまった用紙（以下、ＪＡＭ紙、あるいは単にＪＡＭと記載する）の除去する構成がとられている。そのため、薄紙などのコシの弱い原稿などは破れてしまったり、ＪＡＭ紙を引っ張り出す力が必要になったりする。また女性や老人などのユーザーにとって負担になってしまうなどの問題もある。
【０００６】
また、排紙ローラにかかる従動コロの圧力を解除するために、開閉可能なガイド板（以下、開閉ガイド板と呼称する）に排紙従動コロを備えて開閉時に圧力解除を行う構成をとった場合、排紙口には排出された原稿をスタックする排紙トレイが備えられているため、排紙トレイ上の原稿が、開閉ガイド板を操作する際に挟まれてしまい原稿が折れてしまったり、やぶれてしまったりするなどの問題がある。
【０００７】
なお特許文献１には、排紙手段の排紙路でのジャム処理を容易に行なう目的で、フラットベット読取装置に転置された原稿を抑える抑え部材の一端部近傍に回動支点を備える開閉ガイドを備える構成が開示されている。しかし、排紙ローラにかかる排紙従動コロの圧力を解除せずにＪＡＭ除去する構成がとられているため、薄紙などのコシの弱い原稿などは破れてしまったり、ＪＡＭ紙を引っ張り出す力が必要になったりするため、女性や老人などのユーザーにとって負担になってしまうという問題がある。
【０００８】
本発明は、ＡＤＦの排紙部におけるＪＡＭ処理性を向上させ、かつ排紙トレイに積載された原稿の破損を防止することを目的とする。
【課題を解決するための手段】
【０００９】
本発明に係る自動原稿読取装置は、読み取り対象の原稿を載置する原稿トレイと、前記原稿が排出される排紙スタッカーと、前記排紙スタッカーより原稿搬送方向で上流側に、前記原稿の搬送経路の内部を露出させるための回動可能な開閉ユニットと、を有し、前記開閉ユニットは、前記搬送経路の内部を露出させる開状態と、自動原稿読取装置本体に収納される閉状態とを取る自動原稿読取装置において、前記開閉ユニットは、シート部材を備え、前記シート部材は前記閉状態の時に前記開閉ユニットと前記排紙スタッカーとの隙間を連結して塞ぎ、前記シート部材は前記開閉ユニットの回動動作に連動し、前記シート部材は当該開閉ユニットを回動させる回動手段に取り付けられている、ことを特徴とする。
【発明の効果】
【００１０】
本発明によれば、ＡＤＦの排紙部におけるＪＡＭ処理性を向上させ、かつ排紙トレイに積載された原稿の破損を防止することができる。
【図面の簡単な説明】
【００１１】
【図１】本発明の実施形態１の斜視図である。
【図２】同断面図である。
【図３】実施形態１において原稿台を開放した時の斜視図である。
【図４】同開閉ガイドユニットを開放した時の斜視図である。
【図５】開閉ガイドユニットを開放した時の断面図である。
【図６】開閉ガイドユニットの斜視図である。
【図７】本発明の実施形態２の断面図である。
【図８】本発明の実施形態３に係る開閉ガイドユニットの斜視図である。
【発明を実施するための形態】
【００１２】
本発明の実施形態に係る自動原稿読取装置は、ＡＤＦの原稿台と対向する底面に、シート搬送装置の内部を露出させるための開閉ガイド板に際して、以下の特徴を有する。
要するに、原稿台と対向する底面に、シート搬送装置の内部を原稿台側に向けて露出させるための開閉ガイド板を有する。開閉ガイド板は、搬送方向と直交する方向まわりを中心に回転する。このことにより、ＡＤＦを露出させる開状態と、ＡＤＦに収納される閉状態とを遷移可能である。開閉ガイド板は、シートを排紙トレイに向けて排出する排出手段を備える。開閉ガイド板と排紙トレイとがシート部材によって連結され、隙間が塞がれたことによって、排紙ローラにかかる従動コロの圧力を解除することが可能になっている。そのためＪＡＭ処理性が向上している。また、排紙トレイ上の原稿が、開閉ガイド板を操作する際に挟まれてしまい原稿が折れてしまったり、やぶれてしまったりすることを防止することが可能になっている。
【００１３】
なお以下では、ＭＦＰ（マルチファンクションプリンタ）で、プリンタ本体上に画像読取装置（スキャナ）が設置されている例に関して説明するが、本発明はこれに限定されない。複写機、ＭＦＰ以外のプリンタ、これらの複合機などの種々の画像形成装置において用いられる自動原稿読取装置と、これを備えた上述のような画像形成装置をも実施対象として含む。
【００１４】
この本発明の特徴について、以下に図面を参照して詳細に説明する。
図１は本発明の実施形態１の斜視図、図２は実施形態１の断面図である。これらの図によりまず、ＡＤＦ（自動原稿送り装置）の基本動作を説明する。図中１０００は自動原稿搬送装置、２０００は画像読取装置（スキャナ）である。本発明に係る自動原稿読取装置は、これら自動原稿搬送装置１０００、スキャナ２０００により主に構成されフラットベッド読取装置タイプのものである。また複写機、ＭＦＰ以外のプリンタ、これらの複合機などの種々の画像形成装置に本発明に係る自動原稿読取装置を用いる際には、画像形成装置本体３０００（図１中に点線で示す）の上に搭載することになる。
【００１５】
自動原稿搬送装置１０００は、原稿トレイ１にセットした原稿Ｐを取り込むためのピックアップローラ１１と、ピックアップローラ１１で取り込まれた原稿から１枚の原稿Ｐを原稿搬送路に向けて送るためのフィードローラ１２、および分離部１３とを備える。原稿Ｐをピックアップするときはピックアップローラ１１が下方に移動し、原稿トレイ１上の原稿Ｐの束の上面に当接して最上位の原稿Ｐを引き込む。スキャナ２０００での読取動作が終了すると、ピックアップローラ１１を上方に移動させて原稿束から所定の距離だけ離間させる待機状態とする。それにより、使用者が原稿Ｐを原稿トレイ１にセットできるようになる。
【００１６】
ピックアップローラ１１はピックアップホルダに保持され、フィードローラ１２の軸上に設けられた両方向トルクリミッタ（図示せず）を介して上下に揺動ようになっている。そして、駆動モーター−が正転している時は下降して原稿面に当接し、モーターが逆転すると上昇し、カバー２に当接することで停止する設定とされている。
【００１７】
分離部１３で１枚に分離された原稿は、ローラ１４、１５により表面読取部１６へ向けて搬送経路を搬送され、レジストセンサ１８によって読取のタイミングを原稿先端と合わせて表面読取部１６で画像が読み取られる。その後、排紙ローラ１７によって排紙トレイ（排紙スタッカー３）に排紙される。
【００１８】
図２に示すように、自動原稿搬送装置１０００は両面読取可能であり、表面読取部１６と裏面読取部２０有している。図中１９は表面読取出口ローラであり、この表面読取出口ローラ１９に対向する表面読取出口従動コロ１９ｂと、排紙ローラ１７に対向する排紙従動コロ１７ｂと、開閉ガイドユニット２１とを備えている。そして排紙従動コロ１７ｂの圧を解除することができるため、排紙部でのＪＡＭ処理が行いやすくなっている。また裏面読取部２０の清掃を実施することができる構成となっている。ただしこのような構成の場合、排紙従動コロ１７ｂを保持する排紙ガイド板２２と排紙スタッカー３を連結する部分には隙間ができてしまう。すると、排紙スタッカー３上の原稿Ｐが、開閉ガイドユニット２１を操作する際に挟まれてしまい、原稿Ｐが折れてしまったり、やぶれてしまったりすることがあり得る。
【００１９】
なお、本実施形態１に係る装置は、両面読取可能な自動原稿搬送装置であり、表面読取部１６と裏面読取部２０を有するが、本発明は裏面読取部２０を備えていない自動原稿搬送装置であっても適用可能である。
【００２０】
また、開閉ガイドユニット２１の開閉時の動作については、図３に示すように自動原稿搬送装置１０００をヒンジ部（開閉ヒンジ４０ａ、４０ｂ）により開放し、図４に示すように開閉ガイドユニット２１を開放することができる構成となっている。
【００２１】
図３は実施形態１において原稿台３０を開放した時の斜視図、図４は同じく開閉ガイドユニット２１を開放した時の斜視図である。また、図５は開閉ガイドユニット２１を開放した時の断面図、図６は開閉ガイドユニット２１の斜視図である。これらの図により自動原稿搬送装置１０００における開閉ガイドユニット２１の構成について説明する。図中２４は原稿カバーの一部として原稿押さえに用いる圧板、２８は支持穴で開閉ガイドユニット２１の開閉を支える軸部材に装着するためのものである。
【００２２】
図６に示すように、表面読取出口従動コロ１９ｂは出口ガイド板３１に保持されており、開閉ガイドユニット２１が本体に収納されている状態の時に、表面読取出口従動コロ１９ｂは、表面読取出口ローラ１９に対して付勢される。同様に、排紙従動コロ１７ｂは排紙ガイド板２２に保持されており、開閉ガイドユニット２１が本体に収納されている状態の時に、表面読取出口従動コロ１９ｂは、表面読取出口ローラ１９に付勢される。
【００２３】
また開閉ガイドユニット２１は、ロック爪２６を備えており、それを解除することにより開閉ガイドユニット２１を回動させることができる。それにより、搬送経路の一部を開放し、表面読取出口従動コロ１９ｂと排紙従動コロ１７ｂを脱圧してＪＡＭ紙の処理と裏面読取部２０の清掃を可能にしている。
【００２４】
排紙従動コロ１７ｂを保持する排紙ガイド板２２はシート部材２５を備えており、開閉ガイドユニット２１が本体に収納されている状態時に、排紙スタッカー３との隙間を連結している（図２参照）。開閉ガイドユニット２１と排紙スタッカー３との間に隙間が空いてその隙間に原稿Ｐが入り込む（落ち込む）ことを防止している。このシート部材２５を用いることで、開閉ガイドユニット２１の開閉時に原稿Ｐが隙間に入り込んだ状態で挟んでも原稿Ｐにダメージを与えることがない。
【００２５】
＜実施形態２＞
本発明の実施形態２の断面図を図７に示す。
実施形態２は、開閉ガイドユニット２１に備えられたシート部材２５が連結部回動支点５０（回動手段）と連結されて動き、シート部材２５が連結部回動支点５０を中心に開閉ガイドユニット２１に回動可能に取り付けられている構成である。このことにより開閉ガイドユニット２１を開閉した際にシート部材２５が原稿Ｐを持ち上げて破損させることを防止する。また排紙スタッカー３上の原稿Ｐが開閉時の隙間から落下することを防げる。
【００２６】
連結部回動支点５０をトーションスプリングなどの付勢手段によって、すなわちシート部材２５を回動可能に支持する軸やヒンジなどの回動手段を付勢することによって、ユーザーが不意に開閉ガイドユニット２１を開けて原稿Ｐを差し込むなどの行 為が発生することを防止できる。
【００２７】
＜実施形態３＞
図８に、本発明の実施形態３に係る開閉ガイドユニット２１の斜視図を示す。
本実施形態３では、開閉ガイドユニット２１が備えたシート部材２５にスリット２５ａが複数設けられている構成である。開閉時に排紙スタッカー３上に原稿Ｐがあると、シート部材２５の剛性が大きいとその原稿Ｐを持ち上げてしまい、排紙スタッカー３から飛び出させ、落下させてしまうし、一方でシート部材２５が薄すぎると操作時に折れてしまって破損する可能性がある。そこでスリット２５ａを設けることによってシート部材２５の強度を維持して全体の剛性を下げている。このことで、原稿Ｐの落下とシート部材２５の破損の防止が可能である。
【００２８】
本発明は以上説明した実施形態に限定されるものではなく、多くの変形が本発明の技術的思想内で当分野において通常の知識を有する者により可能である。
【符号の説明】
【００２９】
１        ：原稿トレイ
２        ：カバー
３        ：排紙スタッカー
１１      ：ピックアップローラ
１２      ：フィードローラ
１３      ：分離部
１４、１５      ：ローラ
１６      ：表面読取部
１７      ：排紙ローラ
１７ｂ    ：排紙従動コロ
１８      ：レジストセンサ
１９      ：表面読取出口ローラ
１９ｂ    ：表面読取出口従動コロ
２０      ：裏面読取部
２１      ：開閉ガイドユニット
２２      ：排紙ガイド板
２５      ：シート部材
２５ａ    ：スリット
２６      ：ロック爪
３０      ：原稿台
３１      ：出口ガイド板
４０ａ    ：開閉ヒンジ
４０ｂ    ：開閉ヒンジ
５０      ：連結部回動支点
１０００  ：自動原稿搬送装置
２０００  ：スキャナ
３０００  ：画像形成装置本体
Ｐ        ：原稿
【先行技術文献】
【特許文献】
【００３０】
【特許文献１】特許３４６４４６６号公報
【特許文献２】特許４３３１６６８号公報
【特許文献３】特開２０１３‐０５７８３２号公報
【図１】
0006657989.tif 000002
【図２】
0006657989.tif 000003
【図３】
0006657989.tif 000004
【図４】
0006657989.tif 000005
【図５】
0006657989.tif 000006
【図６】
0006657989.tif 000007
【図７】
0006657989.tif 000008
【図８】
0006657989.tif 000009